(57)【要約】      （修正有）【課題】静電容量式タッチパネルの操作が容易にできる静電容量式タッチパネル操作用手袋を提供する。【解決手段】静電容量式のタッチパネルを操作する静電容量式タッチパネル操作用手袋１は、２本以上の指先２、３の腹側が、真空蒸着により形成された銀薄膜をポリエステルフィルムで挟んで、糸状に裁断された銀蒸着スリット糸２０を、手袋の外側と内側に銀蒸着スリット糸が連続した状態で編み込んで形成されている。【選択図】図２
2013181267.tif 000002
【特許請求の範囲】
【請求項１】
静電容量式のタッチパネルを操作する静電容量式タッチパネル操作用手袋において、
２本以上の指先の腹側が、真空蒸着により形成された銀薄膜をポリエステルフィルムで挟んで、糸状に裁断された銀蒸着スリット糸を、手袋の外側と内側に当該糸が連続した状態で編み込んで形成されていることを特徴とする静電容量式タッチパネル操作用手袋。
【請求項２】
前記銀蒸着スリット糸の最断面に真空蒸着された銀の薄い断面が露出していることを特徴とする請求項１の静電容量式タッチパネル操作用手袋。
【発明の詳細な説明】
【技術分野】
【０００１】
本発明は、手袋着用下での静電容量式タッチパネルを使用した表示器の操作可能な静電容量式タッチパネル操作用手袋に関する。
【背景技術】
【０００２】
タブレット型ＰＣや、スマートフォンのような静電容量式タッチパネルを用いた製品が市中に出回り普及するにつれ、装着したままの状態で操作できる手袋製品が注目を浴びている。
【０００３】
このような手袋についての出願も数多くされており、例えば、特許文献1〜６に示される手袋が知られている。
いずれの手袋も、導電性繊維で編み込んだり、縫い込んだりしたものや、導電性樹脂、金属、導電性ゴム材等を付着させたものなど、手袋内の指と手袋の外側を導通して静電容量式タッチパネルの操作を可能にしている。ここにおいて導電性繊維は、基材となるポリエステル等の樹脂にメッキする方法、スパッタ蒸着する方法などにより金属を付着させるものであり、いくつかの例においては、導電性繊維の一例として硝酸銅を付着させた導電性繊維（「サンダーロン」日本蚕毛染色株式会社の登録商標）が用いられている。
【０００４】
静電容量式のタッチパネルは、静電容量式タッチパネルの検出電極に指が対峙して静電容量を形成させるものであるが、手袋をはめていると手袋の厚さだけ検出電極から離れてしまい、静電容量を形成できない状態になってしまう。このため、従来技術に示された各文献に共通する技術的アプローチは、手袋内に導電性物質を配置し、指と電気的に導通して手袋表面に露出した導電性物質が検出電極に接近して対峙することにより、指に代わって新たな静電容量の電極にすることである。
【０００５】
図１Ａは静電容量式タッチパネルの基本原理を説明する図である、タッチパネルＤには駆動電極１０１とこれに対向する検出電極１０２が設けられている。駆動電極１０１と検出電極１０２によって、静電容量Ｃ１が構成される。静電容量Ｃ１は、その一端が交流源Ｓに接続され、他端は抵抗器Ｒを介して接地され、電圧検出器Ｖが接続されている。交流源Ｓから数ｋＨｚ〜十数ｋＨｚ程度の交流矩形波を印加すると、電圧検出器Ｖにおいて静電容量Ｃ１に対応した出力波形が検出できる。
指Ｆが接触した状態では、指Ｆによって形成される静電容量Ｃ２が静電容量Ｃ１に直列に追加された形となる。交流源Ｓから与えられる交流矩形波は、静電容量Ｃ１にＣ２が加わったことにより波形が変化して、この変化が電圧検出器Ｖによって検出される。
【０００６】
手袋Ｇを装着したときには、図１Ｂのように、指Ｆが検出電極１０２から手袋の厚さｄだけ離れて静電容量Ｃ２が静電容量Ｃ１に対して小さくなる。このため、充放電に伴う波形変化が小さく、電圧検出器Ｖによる検出しきい値電圧よりも小さくなり、非接触状態と判断されてしまう。従って、従来技術に示された各文献の手袋においては、手袋を装着したことにより検出電極１０２から離れてしまった指に対して、導電性物質Ｅを配置することにより、指先Ｆがあたかも検出電極１０２に電気的に接触したようにして、静電容量Ｃ２を大きくする。
【先行技術文献】
【特許文献】
【０００７】
【特許文献１】特開２００８−８１８９６号公報
【特許文献２】実開平７−３１０８７号（実願平５−６６２３９号）公報
【特許文献３】実登第３１６０２１１号公報
【特許文献４】実登第３１６８２１９号公報
【特許文献５】実登第３１６７３２７号公報
【特許文献６】特開２０１１−１９０５６４号公報
【発明の開示】
【発明が解決しようとする課題】
【０００８】
導電性繊維は、硫化銅などの金属をポリエステル等の樹脂繊維に付着させたものであり、繊維表面を金属が覆うことにより導電性を得ている。一方、このような表面に金属を付着する導電性繊維の抱える技術課題は、耐摩耗性の向上である。基材となる樹脂繊維の伸縮に追従できずに脱落する。静電容量式タッチパネル操作用としては、導電性繊維がパネルと摩擦し、捻れによる変形を繰返し受けるため、通常よりも脱落しやすい状態で使用されることになる。脱落した金属は導電性の埃となり、埃を嫌う作業に使用し難い。また、金属が脱落することにより、静電容量式タッチパネルの操作ができなくなってゆく。このことは、金属を手袋に付着させたものの方がより深刻である。
一方、導電性ゴム材、カーボンを含んだ導電性樹脂を手袋に付着させた場合には、肌触りの異和感や、摩擦が大きく静電容量式タッチパネルの表面フィルムを曇らせたり、剥離させる。
【０００９】
本発明の目的は、上記の課題を解決するもので、導電体が静電容量式のタッチパネルと摩擦することによる金属の脱落を防止した手袋を提供することにある。
【課題を解決するための手段】
【００１０】
上記課題を達成するために、本発明の静電容量式タッチパネル操作用手袋は、静電容量式のタッチパネルを使用する表示器を操作する静電容量式タッチパネル操作用手袋において、２本以上の指先の腹側が、真空蒸着により形成された銀薄膜をポリエステルフィルムで挟んで、糸状に裁断された銀蒸着スリット糸を、手袋の外側と内側に当該糸が連続した状態で編み込んで形成されていることを特徴とする。
【発明の効果】
【００１１】
銀蒸着スリット糸は銀の表裏面をポリエステルフィルムで覆っており、金属がタッチパネルに直接的に摩擦することが無い。また、銀はポリエステルフィルムであるので剥離してほこりになることもない。
【図面の簡単な説明】
【００１２】
【図１】静電容量式タッチパネルの原理を説明する図である。
【図２】本実施例の手袋を説明する図である。
【図３】本実施例の手袋の原理を説明する図である。
【図４】銀蒸着スリット糸を説明する図である。
【発明を実施するための最良の形態】
【００１３】
図２において、本実施例の手袋１は、指先に静電電極１０を有している。静電電極１０の取り付け位置は、従来の静電容量式タッチパネル操作用手袋と同様に例えば手袋1の親指の指先２，人差し指の指先３に相当する指先の腹側の位置である。静電電極１０を配置する指は、少なくとも２本あればよく、それ以上でもかまわない。
静電電極１０は、金属Ｍを非導電体Ｉで挟んだものであって、指と静電電極１０とは電気的に非導通状態となっている。この構造によれば、金属の表面は非導電体Ｉを覆われており、金属が直接タッチパネルと摩擦することは無い。
【００１４】
図３は、指ＦとタッチパネルＤの関係を示している。手袋１をはめているとその基材により指ＦがタッチパネルＤの検出電極１０２から離れている。指Ｆと検出電極１０２の間に静電電極１０が配置される。指Ｆは、先の従来の静電容量式タッチパネル操作用手袋とは違い、金属Ｍは指Ｆと検出電極１０２との間の電気的距離を近づけてはおらず、指Ｆと検出電極１０２の間のギャップの中に挿入された状態になっている。図３Ａは、この状態を等価的に示したものである。
【００１５】
図３Ｂは等価回路であり、検出電極１０２と金属Ｍとの間の静電容量Ｃ２１と金属Ｍと指Ｆとの間の静電容量Ｃ２２とが直列につながれた状態を示している。静電容量Ｃ２１とＣ２２の合成により構成された静電容量により、検出電極１０２の波形を変化させ得る。原理的には以上のとおりであるが、この構成を実現するには、固形である金属Ｍを被覆し、タッチパネルの操作に必要な静電容量が得られるよう薄くかつ磨耗に耐えるようにこれを被覆する非導電体Ｉを設けなければならない。さらに、手袋の装着性についても考慮する必要がある。
【００１６】
本実施例においては、静電電極１０として、図４に示す銀蒸着スリット糸２０を用いる。銀蒸着スリット糸は、蒸着により形成した０．１マイクロメータ程度の厚さの銀の薄膜２２を９マイクロメータ程度の薄いポリエステルフィルム２１とポリエステルフィルム２３で挟んで、細かくカットした糸である。具体的には、ポリエステルフィルムの表面に銀を真空蒸着して、このように蒸着した２枚のポリエステルフィルムの皮膜面同士を張り合わせて、これを２３０マイクロメータ又は１５０マイクロメータ幅にカットする。カット面２４には、厚さ０．１マイクロメータ程度の銀が露出するが、糸の表面の面積に比べて圧倒的に露出面の面積は狭く、糸としては非導電性の性格を示す。一方、金属の中でも導電性の高い銀を使用していることにより、糸の中は電気抵抗が少なく流れることができるため、非常に薄い膜であっても高い電気抵抗にはならない。また、銀が露出しているため、抗菌作用が期待できる。このような糸として、例えば「ミューファン」（「ミューファン」は、株式会社麗光、株式会社ミューファン、豊島株式会社、伊藤忠商事株式会社の登録商標である）を利用することができる。
【００１７】
銀蒸着スリット糸２０は、表面がポリエステルフィルムで覆われているため、導電性繊維がタッチパネルＤと摩擦して捻れによる変形を繰返し受けてもポリエステルフィルム内部の銀が脱落することはなく、導電性の埃を撒き散らすことはない。また、表面のポリエステルフィルムは、通常の衣料用素材であり、肌触りの異和感は無い。また、タッチパネルの表面フィルムを磨耗により曇らせることもない。さらに、銀蒸着スリット糸２０は、染色が可能であり、また、金属として銀が使用されており金属アレルギーを引き起こしにくい。
【００１８】
図２Ｂの静電電極１０の拡大図に示すように銀蒸着スリット糸２０は、手袋１の指の先端に編み込まれることにより、手袋１の指の腹の部分として編成され、静電電極１０を構成する。手袋１表面側の銀蒸着スリット糸２０は、ポリエステルフィルムの薄い膜を介して、タッチパネルの検出電極１０２に対峙する。一方、銀蒸着スリット糸２０は手袋１の外から内部に連続した状態に編み込まれており、その内部においても外側と同様にポリエステルフィルムの薄い膜を介して他側の電極となるべき指Ｆに対峙している。手袋１の表と裏との間においては、薄くかつ糸の幅しかない銀が導体として存在するだけであるが、銀は電気抵抗が小さいため、この結果、指Ｆと検出電極１０２は、ポリエステルフィルムの非常に薄い非導電体を介して正対することになる。
【００１９】
つまり、図３において、非導電体Ｉの間に金属Ｍを挟んだ状態で、かつ非導電体Ｉの厚さを銀蒸着スリット糸２０のポリエステルフィルム２１又は２３の厚さ（９マイクロメータ）にすることが出来る。銀蒸着スリット糸２０の銀の蒸着薄膜２２は、導電性が高く、ポリエステルフィルム２１又は２３の厚さよりもさらに薄く、ポリエステルフィルム２１又は２３に従って変形することから、金属Ｍの機能を有するとともに柔軟である。この結果、銀蒸着スリット糸２０で作製された静電電極１０により、指Ｆと検出電極１０２との間で、タッチパネルＤを操作するのに十分な静電容量の変化を得ることが出来る。
【符号の説明】
【００２０】
１ 手袋
２ 親指の指先
３ 人さし指の指先
１０  静電電極
２０  銀蒸着スリット糸
２１、２３  ポリエステルフィルム
２２  銀の薄膜
Ｍ  金属
Ｉ  非導電体
【図１】
2013181267.tif 000003
【図２】
2013181267.tif 000004
【図３】
2013181267.tif 000005
【図４】
2013181267.tif 000006
【手続補正書】
【提出日】平成24年3月6日(2012.3.6)
【手続補正１】
【補正対象書類名】特許請求の範囲
【補正対象項目名】請求項２
【補正方法】変更
【補正の内容】
【請求項２】
前記銀蒸着スリット糸のカット面に真空蒸着された銀の薄い断面が露出していることを特徴とする請求項１の静電容量式タッチパネル操作用手袋。